(57)【特許請求の範囲】
【請求項１】
便器本体のリム部の前側上面を略水平な平坦面として、リム部の前側上面の外周縁に沿い汚水流出防止用の凸リブを一体に立設し、凸リブとリム部の前側上面との内側隅部分が曲面形状に形成された洋式便器。
【請求項２】
便器本体のリム部上に着脱自在に載設される便座の下面に凸リブが嵌合される凹所を形成したことを特徴とする請求項１記載の洋式便器。
【請求項３】
凸リブは断面略三角形状の山型であり、凹所内に凸リブが当接される軟質パッキン材を設けたことを特徴とする請求項２記載の洋式便器。
【発明の詳細な説明】
【技術分野】
【０００１】
本願発明は、便器本体のリム部の前側上面から汚水が流出するのを防止した洋式便器に関するものである。
【背景技術】
【０００２】
従来から、図３に示すように、便器本体１のリム部２の前側上面２ａから汚水が流出するのを防止した洋式便器は知られている（特開平１１−３５０５６２号公報）。この洋式便器にあっては、便器本体１のリム部２の前側上面２ａに軟質体でなる汚水流出防止体１１を着脱自在に取り付けている。この場合、汚水の便器本体１外への流出が防止されると共に汚水流出防止体１１を取り外して十分に清掃することもでき、また、便座４を起立させたときの水垂れも無いとされている。
【特許文献１】特開平１１−３５０５６２号公報
【発明の開示】
【発明が解決しようとする課題】
【０００３】
しかしながら、上記従来例である洋式便器においては、汚水流出防止体１１が着脱自在に取り付けられているため、これを取り外してリム部２の前側上面２ａを清掃することができる反面、同前側上面２ａと汚水流出防止体１１との間に発生する隙間に汚れやゴミ等が溜まって付着し易いという問題を生じる。また、汚水流出防止体１１がリム部２の前側上面２ａの内周縁２ｃに沿って立設されているため、男性が立って手前側から小便をした際等に、同前側上面２ａに降りかかった尿（汚水）がその外周縁２ｂから便器本体１の外側へ垂れ落ちるという問題を生じる。
【０００４】
本願発明は、上記背景技術に鑑みてなされたものであり、その課題は、便器本体のリム部から前側への汚水の流出が確実に防止され、同リム部の前側上面を清掃し易くてこの部分には汚れやゴミ等も付着し難い衛生的な洋式便器を提供することである。
【課題を解決するための手段】
【０００５】
上記課題を解決するために、本願発明の洋式便器は、便器本体のリム部の前側上面を略水平な平坦面として、リム部の前側上面の外周縁に沿って汚水流出防止用の凸リブを一体に立設し、凸リブとリム部の前側上面との内側隅部分が曲面形状に形成されてなる。
【発明の効果】
【０００６】
本願発明の洋式便器においては、便器本体のリム部の前側上面にその外周縁に沿って汚水流出防止用の凸リブが立設されているため、同前側上面に降りかかった汚水は凸リブで堰き止められて便器本体の外側へ流出せず内側へと支障なく排水除去される。しかも、凸リブが便器本体のリム部の前側上面に一体に立設されているため、隙間はなくて汚水の流出が確実に防止され、この部分は清掃し易くて汚れやゴミ等も付着し難い。
【発明を実施するための最良の形態】
【０００７】
図１、２は、本願の請求項１〜３全てに対応した一実施形態である洋式便器を示している。この実施形態の洋式便器は、便器本体１のリム部２の前側上面２ａにその外周縁２ｂに沿って汚水流出防止用の凸リブ３を一体に立設してなる。しかも、この実施形態の洋式便器では、便器本体１のリム部２上に着脱自在に載設される便座４の下面４ａに前記凸リブ３が嵌合される凹所５を形成しており、この場合、同凹所５内に凸リブ３が当接される軟質パッキン材６を設けてもいる。
【０００８】
以下、この実施形態の洋式便器をより具体的詳細に説明する。この実施形態の洋式便器では、図２に示すように、便器本体１の排便用開口部７の開口縁全周に沿って中空状のリム部２が一体に形成されており、このリム部２内に流通されてここから吐出される水によって同排便用開口部７内は使用後に洗浄される。また、便器本体１は合成樹脂にて一体成形されたもので、排便用開口部７の前側略半分の略半円部分において、リム部２の前側上面２ａにその外周縁２ｂに沿って汚水流出防止用の凸リブ３が一体に立設されている。凸リブ３はリム部２の前側に立設されればよいものであるが、排便用開口部７の開口縁全周にわたって形成されてもよい。
【０００９】
便器本体１の後端部上には人体局部洗浄装置が内蔵設置され、この人体局部洗浄装置部位に便座４及び便蓋８が枢支されされている。便座４及び便蓋８は軸部９を中心に回動されるもので、便座４が便器本体１の排便用開口部７上に着脱自在に載置され、その上を覆う便蓋８は開閉される。便座４は暖房機能を有しており、その下面４ａに両側対に配置される脚部１０と前記便器本体１の凸リブ３と対応する位置に凹所５が形成されている。脚部１０はゴム等の弾性材でなり、その内部には人体が着座したことを検知する着座センサが設けられる。この着座センサの検知に基づいて、前記便座４の暖房機能や人体局部洗浄装置等が動作制御される。
【００１０】
前記脚部１０が便器本体１のリム部２上に当接された状態で、図１に示すように、便座４は同リム部２上に載置支持されている。便器本体１及び便座４はいずれも合成樹脂でなり、所望の形状に成形され易いものである。便器本体１の排便用開口部７の開口縁内周には断面略矩形の中空状のリム部２が一体に形成されており、このリム部２の前側上面２ａは略水平な平坦面となっている。リム部２の前側上面２ａにはその外周縁２ｂに沿って凸リブ３が立設され、この凸リブ３は断面略三角形状の山型に突出しており、同凸リブ３とリム部２の前側上面２ａとの内側隅部分が曲面形状Ｒに形成されていて、この曲面形状Ｒの部分は清掃し易くて汚れやゴミ等が溜まり難い。
【００１１】
便座４の下面４ａと前記便器本体１のリム部２の前側上面２ａとは相互に略平行で、前記脚部１０の厚さ分だけの間隔をあけて対向している。便座４の下面４ａの外周に沿った部位には断面略三角形状で谷型の凹所５が形成されており、この凹所５内には前記凸リブ３が対応し隙間をあけて嵌合収容される。凹所５内の底部分には軟質合成樹脂、ゴム等でなり弾性及び防水性を有した軟質パッキン材６が設けられており、この軟質パッキン材６は前記凸リブ３の先端部分上に当接支持されて前記隙間を密閉する。その際、凹所５の前壁片部５ａの下端は凸リブ３の先端部分の上端よりも下方に位置しており、汚水の流出が確実に防止される。
【００１２】
したがって、この実施形態の洋式便器においては、便器本体１のリム部２の前側上面２ａにその外周縁に沿って汚水流出防止用の凸リブ３が立設されているので、同前側上面２ａに降りかかった汚水は凸リブ３で堰き止められて便器本体１の外側へ流出せず内側へと支障なく排水除去される。そのため、便座４を起立させた不使用の状態で男性が立って手前側から小便をした際等に、尿がリム部２の前側上面２ａに降りかかっても、この尿である汚水は同リム部２の前側上面２ａの外周縁２ｂから便器本体１の外側へ垂れ落ちることがない。
【００１３】
しかも、前記凸リブ３が便器本体１のリム部２の前側上面２ａに一体に立設されているため、隙間は発生せず汚水の流出が確実に防止され、この部分は清掃し易くて汚れやゴミ等も付着し難い。また、便座４の下面４ａには前記凸リブ３が嵌合される凹所５が形成されているため、便座４をリム部２上に載置支持させた使用の状態で同凸リブ３と凹所５とが嵌合して、洗浄水や男性の小便等の汚水は便座４の下面４ａとリム部２の前側上面２ａとの間の隙間から便器本体１外へと流出し難い。
【００１４】
特に、この場合、凹所５内に凸リブ３が当接される軟質パッキン材６が設けられているので、この軟質パッキン材６によって同凹所５と凸リブ３との間の隙間は密閉され、汚水の便器本体１外への流出が確実に防止される。このように、尿や洗浄水等の汚水が便器本体１の外側へと流出することが確実に防止されることで、同便器本体１とトイレ床面との隙間に汚水が入り込むことによる雑菌の繁殖や悪臭の発生等の問題は解消され、トイレ内が衛生的に保持される。
【図面の簡単な説明】
【００１５】
【図１】本願発明の一実施形態である洋式便器の要部を示す断面図。
【図２】同洋式便器の全体外観を示す斜視図。
【図３】従来例である洋式便器の要部を示す断面図。
【符号の説明】
【００１６】
１  便器本体
２  リム部
２ａ  前側上面
２ｂ  外周縁
３  凸リブ
４  便座
４ａ  下面
５  凹所
６  軟質パッキン材
【図１】
0005303821.tif 000002
【図２】
0005303821.tif 000003
【図３】
0005303821.tif 000004